【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
撮影モードを含む複数の動作モードを有する撮像装置であって、
記憶媒体を着脱可能な装着手段と、
前記装着手段に装着された記憶媒体が、書換え回数に制限のある書換え制限記憶媒体であるか判別する判別手段と、
書換え可能な内蔵記憶手段と、
前記判別手段により前記装着手段に装着された記憶媒体が書換え制限記憶媒体であると判断された場合は、前記撮影モードにおける撮影処理で生成される画像データについては前記装着手段に装着された記憶媒体に書き込むとともに、前記画像データの管理情報については前記内蔵記憶手段に一時保管し、前記撮影モードが終了する際に前記装着手段に装着された記憶媒体に書き込むように制御する書き込み制御手段とを有することを特徴とする撮像装置。
【請求項２】
前記撮影モードが、動作モードの前記撮影モードから他の動作モードへの変更時もしくは前記撮像装置の電源オフ時に終了することを特徴とする請求項１記載の撮像装置。
【請求項３】
記憶媒体を着脱可能な装着手段と、
前記装着手段に装着された記憶媒体が、書換え回数に制限のある書換え制限記憶媒体であるか判別する判別手段と、
書換え可能な内蔵記憶手段と、
前記判別手段により前記装着手段に装着された記憶媒体が書換え制限記憶媒体であると判断された場合は、撮影処理で生成される画像データについては前記装着手段に装着された記憶媒体に書き込むとともに、前記画像データの管理情報については前記内蔵記憶手段に一時保管し、前記管理情報が予め定めたデータサイズに達する毎に前記装着手段に装着された記憶媒体に書き込むように制御する書き込み制御手段とを有することを特徴とする撮像装置。
【請求項４】
記憶媒体を着脱可能な装着手段と、
前記装着手段に装着された記憶媒体が、書換え回数に制限のある書換え制限記憶媒体であるか判別する判別手段と、
書換え可能な内蔵記憶手段と、
前記判別手段により前記装着手段に装着された記憶媒体が書換え制限記憶媒体であると判断された場合は、前記装着手段に装着された記憶媒体に書き込むデータを前記内蔵記憶手段に一時保管し、前記書き込むデータが予め定めたデータサイズに達する毎に前記装着手段に装着された記憶媒体に書き込むように制御する書き込み制御手段とを有することを特徴とする撮像装置。
【請求項５】
前記予め定めたデータサイズが、前記装着手段に装着された記憶媒体の最小書き込み単位のサイズに等しいことを特徴とする請求項３又は請求項４記載の撮像装置。
【請求項６】
前記予め定めた所定のサイズが、前記内蔵記憶手段に確保したバッファサイズに等しいことを特徴とする請求項３又は請求項４記載の撮像装置。
【請求項７】
撮影モードを含む複数の動作モードを有し、記憶媒体を着脱可能な装着手段及び書換え可能な内蔵記憶手段を備える撮像装置の制御方法であって、
前記装着手段に装着された記憶媒体が、書換え回数に制限のある書換え制限記憶媒体であるか判別する判別工程と、
前記判別工程により前記装着手段に装着された記憶媒体が書換え制限記憶媒体であると判断された場合は、前記撮影モードにおける撮影処理で生成される画像データについては前記装着手段に装着された記憶媒体に書き込むとともに、前記画像データの管理情報については前記内蔵記憶手段に一時保管し、前記撮影モードが終了する際に前記装着手段に装着された記憶媒体に書き込むように制御する書き込み制御工程とを有することを特徴とする撮像装置の制御方法。
【請求項８】
記憶媒体を着脱可能な装着手段及び書換え可能な内蔵記憶手段を備える撮像装置の制御方法であって、
前記装着手段に装着された記憶媒体が、書換え回数に制限のある書換え制限記憶媒体であるか判別する判別工程と、
前記判別工程により前記装着手段に装着された記憶媒体が書換え制限記憶媒体であると判断された場合は、前記装着手段に装着された記憶媒体に書き込むデータを前記内蔵記憶手段に一時保管し、前記書き込むデータが予め定めたデータサイズに達する毎に前記装着手段に装着された記憶媒体に書き込むように制御する書き込み制御工程とを有することを特徴とする撮像装置の制御方法。
【請求項９】
記憶媒体を着脱可能な装着手段と、
前記装着手段に装着された記憶媒体が、書換え回数に制限のある書換え制限記憶媒体であるか判別する判別手段と、
前記記憶媒体の空き容量を算出する空き容量算出手段と、
前記空き容量算出手段が算出した空き容量で撮影可能な枚数を算出する撮影可能枚数算出手段とを有し、
前記撮影可能枚数算出手段が、
前記判別手段により前記記憶媒体が書換え制限記憶媒体であると判断された場合、前記空き容量算出手段が算出した空き容量と、予め定められた画像データサイズ及び予め定められた管理情報データサイズとから前記撮影可能枚数を算出し、
前記判別手段により前記記憶媒体が書換え制限記憶媒体でないと判断された場合、前記空き容量算出手段が算出した空き容量と、前記予め定められた画像データサイズとから前記撮影可能枚数を算出することを特徴とする撮像装置。
【請求項１０】
撮影処理で生成された画像データが前記記憶媒体で使用する容量を算出する第１の容量算出手段と、
前記画像データの管理情報が前記記憶媒体で使用する容量を算出する第２の容量算出手段とをさらに有し、
前記空き容量算出手段が、前記記憶媒体から取得した情報から前記空き容量の初期値を算出し、その後、前記第１及び第２の容量算出手段が算出した容量によって前記空き容量を更新することを特徴とする請求項９記載の撮像装置。
【請求項１１】
前記空き容量算出手段、前記第１及び第２の容量算出手段が、前記記憶媒体の最小書き込み単位の数として前記容量を算出することを特徴とする請求項１０記載の撮像装置。
【請求項１２】
前記空き容量算出手段が、前記撮像装置の起動時、前記記憶媒体の検出時のうち、少なくとも前記撮像装置の起動時に前記空き容量を算出することを特徴とする請求項９乃至請求項１１のいずれか１項に記載の撮像装置。
【請求項１３】
記憶媒体を着脱可能な装着手段を備えた撮像装置の制御方法であって、
前記装着手段に装着された記憶媒体が、書換え回数に制限のある書換え制限記憶媒体であるか判別する判別工程と、
前記記憶媒体の空き容量を算出する空き容量算出工程と、
前記空き容量算出工程が算出した空き容量で撮影可能な枚数を算出する撮影可能枚数算出工程とを有し、
前記撮影可能枚数算出工程が、
前記判別工程により前記記憶媒体が書換え制限記憶媒体であると判断された場合、前記空き容量算出工程が算出した空き容量と、予め定められた画像データサイズ及び予め定められた管理情報データサイズとから前記撮影可能枚数を算出し、
前記判別工程により前記記憶媒体が書換え制限記憶媒体でないと判断された場合、前記空き容量算出工程が算出した空き容量と、前記予め定められた画像データサイズとから前記撮影可能枚数を算出することを特徴とする撮像装置の制御方法。
【手続補正２】
【補正対象書類名】明細書
【補正対象項目名】００２５
【補正方法】変更
【補正の内容】
【００２５】
上述の目的は、撮影モードを含む複数の動作モードを有する撮像装置であって、記憶媒体を着脱可能な装着手段と、装着手段に装着された記憶媒体が、書換え回数に制限のある書換え制限記憶媒体であるか判別する判別手段と、書換え可能な内蔵記憶手段と、判別手段により装着手段に装着された記憶媒体が書換え制限記憶媒体であると判断された場合は、撮影モードにおける撮影処理で生成される画像データについては装着手段に装着された記憶媒体に書き込むとともに、画像データの管理情報については内蔵記憶手段に一時保管し、撮影モードが終了する際に装着手段に装着された記憶媒体に書き込むように制御する書き込み制御手段とを有することを特徴とする撮像装置によって達成される。
【手続補正３】
【補正対象書類名】明細書
【補正対象項目名】００２６
【補正方法】変更
【補正の内容】
【００２６】
また、上述の目的は、記憶媒体を着脱可能な装着手段と、装着手段に装着された記憶媒体が、書換え回数に制限のある書換え制限記憶媒体であるか判別する判別手段と、書換え可能な内蔵記憶手段と、判別手段により装着手段に装着された記憶媒体が書換え制限記憶媒体であると判断された場合は、撮影処理で生成される画像データについては装着手段に装着された記憶媒体に書き込むとともに、画像データの管理情報については内蔵記憶手段に一時保管し、管理情報が予め定めたデータサイズに達する毎に装着手段に装着された記憶媒体に書き込むように制御する書き込み制御手段とを有することを特徴とする撮像装置によっても達成される。
【手続補正４】
【補正対象書類名】明細書
【補正対象項目名】００２７
【補正方法】変更
【補正の内容】
【００２７】
また、上述の目的は、記憶媒体を着脱可能な装着手段と、装着手段に装着された記憶媒体が、書換え回数に制限のある書換え制限記憶媒体であるか判別する判別手段と、書換え可能な内蔵記憶手段と、判別手段により装着手段に装着された記憶媒体が書換え制限記憶媒体であると判断された場合は、装着手段に装着された記憶媒体に書き込むデータを内蔵記憶手段に一時保管し、書き込むデータが予め定めたデータサイズに達する毎に装着手段に装着された記憶媒体に書き込むように制御する書き込み制御手段とを有することを特徴とする撮像装置によっても達成される。
【手続補正５】
【補正対象書類名】明細書
【補正対象項目名】００２８
【補正方法】変更
【補正の内容】
【００２８】
また、上述の目的は、撮影モードを含む複数の動作モードを有し、記憶媒体を着脱可能な装着手段及び書換え可能な内蔵記憶手段を備える撮像装置の制御方法であって、装着手段に装着された記憶媒体が、書換え回数に制限のある書換え制限記憶媒体であるか判別する判別工程と、判別工程により装着手段に装着された記憶媒体が書換え制限記憶媒体であると判断された場合は、撮影モードにおける撮影処理で生成される画像データについては装着手段に装着された記憶媒体に書き込むとともに、画像データの管理情報については内蔵記憶手段に一時保管し、撮影モードが終了する際に装着手段に装着された記憶媒体に書き込むように制御する書き込み制御工程とを有することを特徴とする撮像装置の制御方法によっても達成される。
【手続補正６】
【補正対象書類名】明細書
【補正対象項目名】００２９
【補正方法】変更
【補正の内容】
【００２９】
また、上述の目的は、記憶媒体を着脱可能な装着手段及び書換え可能な内蔵記憶手段を備える撮像装置の制御方法であって、装着手段に装着された記憶媒体が、書換え回数に制限のある書換え制限記憶媒体であるか判別する判別工程と、判別工程により装着手段に装着された記憶媒体が書換え制限記憶媒体であると判断された場合は、装着手段に装着された記憶媒体に書き込むデータを内蔵記憶手段に一時保管し、書き込むデータが予め定めたデータサイズに達する毎に装着手段に装着された記憶媒体に書き込むように制御する書き込み制御工程とを有することを特徴とする撮像装置の制御方法によっても達成される。
【手続補正７】
【補正対象書類名】明細書
【補正対象項目名】００３０
【補正方法】変更
【補正の内容】
【００３０】
また、上述の目的は、記憶媒体を着脱可能な装着手段と、装着手段に装着された記憶媒体が、書換え回数に制限のある書換え制限記憶媒体であるか判別する判別手段と、記憶媒体の空き容量を算出する空き容量算出手段と、空き容量算出手段が算出した空き容量で撮影可能な枚数を算出する撮影可能枚数算出手段とを有し、撮影可能枚数算出手段が、判別手段により記憶媒体が書換え制限記憶媒体であると判断された場合、空き容量算出手段が算出した空き容量と、予め定められた画像データサイズ及び予め定められた管理情報データサイズとから撮影可能枚数を算出し、判別手段により記憶媒体が書換え制限記憶媒体でないと判断された場合、空き容量算出手段が算出した空き容量と、予め定められた画像データサイズとから撮影可能枚数を算出することを特徴とする撮像装置によっても達成される。
【手続補正８】
【補正対象書類名】明細書
【補正対象項目名】００３１
【補正方法】変更
【補正の内容】
【００３１】
また、上述の目的は、記憶媒体を着脱可能な装着手段を備えた撮像装置の制御方法であって、装着手段に装着された記憶媒体が、書換え回数に制限のある書換え制限記憶媒体であるか判別する判別工程と、記憶媒体の空き容量を算出する空き容量算出工程と、空き容量算出工程が算出した空き容量で撮影可能な枚数を算出する撮影可能枚数算出工程とを有し、撮影可能枚数算出工程が、判別工程により記憶媒体が書換え制限記憶媒体であると判断された場合、空き容量算出工程が算出した空き容量と、予め定められた画像データサイズ及び予め定められた管理情報データサイズとから撮影可能枚数を算出し、判別工程により記憶媒体が書換え制限記憶媒体でないと判断された場合、空き容量算出工程が算出した空き容量と、予め定められた画像データサイズとから撮影可能枚数を算出することを特徴とする撮像装置の制御方法によっても達成される。